(57)【特許請求の範囲】
【請求項１】
コの字部と、コの字部の両端縁から各々相対方向の内側に折れ曲がる両側のフランジ部とからなり、両フランジ部の相対間を開放口とするＣ形鋼材を主鋼材とし、二本のＣ型鋼材をコの字部で背合わせに接合した一本の鋼材、一本のＣ形鋼材またはコ形鋼材のいずれかを副鋼材とし、主鋼材の各フランジ部と副鋼材の板面とを当接させて直交方向に組み合される主鋼材，副鋼材相互を交差点で締付け固定するに用いられる鋼材組立用金具であって、
主鋼材の長手方向に亘って主鋼材の各フランジ部と開放口より内側で係合する押え板部と、主鋼材の長手方向に位置する押え板部の各端部より副鋼材の交差する幅を越えて主鋼材の長手方向に伸びる両側の掛止め板部とからなる金具本体を備え、
前記両側の掛止め板部は、前記押え板部の各端部より副鋼材側に向かって夫々相対方向のＵ字状に湾曲する各Ｕ字部と、副鋼材側に向かう各Ｕ字部の先端部より各Ｕ字部の内向きに折れ曲って副鋼材の開放口より内側に係合する先端縁とからなり、
前記金具本体には、前記各Ｕ字部の相対辺間にねじ込んで前記各Ｕ字部の相対間隔を固定保持する締付けボルトを備えてなることを特徴とする鋼材組立用金具。
【請求項２】
上記押え板部が立上り板部を両側に有するコの字状でなり、上記掛止め板部が押え板部の立上り板部を連結する橋絡辺の各端部より副鋼材の交差する幅を越えて主鋼材の長手方向に伸びる金具本体を備えてなることを特徴とする請求項１に記載の鋼材組立用金具。
【請求項３】
コの字部と、コの字部の両端縁から各々相対方向の内側に折れ曲がる両側のフランジ部とからなり、両フランジ部の相対間を開放口とするＣ形鋼材を主鋼材とし、二本のＣ型鋼材をコの字部で背合わせに接合した一本の鋼材を副鋼材とし、開放口を同じ方向に向けて所定の間隔を隔て複数本の主鋼材を相平行に並べ、二本背合わせに接合したＣ形鋼材の面一となる片側の側板部を主鋼材の各フランジ部と当接させて複数本の副鋼材を主鋼材の長手方向で所定の間隔を隔て直交方向に組み合わせ、主鋼材，副鋼材相互を交差点で鋼材組立用金具により締付け固定させて組み立てられるＣ形鋼材組立体であって、
主鋼材の長手方向に亘って主鋼材の各フランジ部と開放口より内側で係合する押え板部と、主鋼材の長手方向に位置する押え板部の各端部より副鋼材の交差する幅を越えて主鋼材の長手方向に伸びる掛止め板部とからなる金具本体を備え、
前記掛止め板部は、前記押え板部の各端部より副鋼材側に向けて夫々相対方向のＵ字状に湾曲する各Ｕ字部と、副鋼材側に向かう各Ｕ字部の先端部より各Ｕ字部の内向きに折れ曲って副鋼材の開放口より各フランジ部の内側に係合する先端縁とからなり、
前記各Ｕ字部の相対辺間にねじ込んで前記各Ｕ字部の相対間隔を固定保持する締付けボルトを金具本体に備える鋼材組立用金具により、前記主鋼材，副鋼材相互を交差点で締付け固定してなることを特徴とするＣ形鋼材組立体。
【請求項４】
上記複数本の主鋼材を物品の載置面とし、上記複数本の副鋼材を主鋼材の脚部とし、該主鋼材，副鋼材相互を上記鋼材組立用金具で締付け固定し、上記複数本の主鋼材，副鋼材からスキッド乃至はパレットを組み立ててなることを特徴とする請求項３に記載のＣ形鋼材組立体。
【発明の詳細な説明】
【０００１】
【発明の属する技術分野】
本発明は、Ｃ形鋼材を主鋼材とし、二本のＣ型鋼材をコの字部で背合わせに接合した一本の鋼材、一本のＣ形鋼材またはコ形鋼材のいずれかを副鋼材とし、Ｃ型鋼材の各フランジ部と副鋼材の板面とを当接させて直交方向に組み合される主鋼材，副鋼材相互を交差点で締付け固定するに用いられる鋼材組立用金具並びに同金具によるＣ形鋼材組立体に関するものである。
【０００２】
【従来の技術】
従来、Ｃ形鋼材組立体としては、開放口を下側に向けて所定の間隔を隔て相平行に並べられる複数本の本体桟と、本体桟の長手方向で所定の間隔を隔て直交方向に組み合される複数本の脚部桟と、脚部桟の上部側で長手方向定間隔毎に取り付けられる受け台と、本体桟から受け台にねじ込む締付けボルトとを備え、受け台を本体桟の開放口より内側に嵌め込んで本体桟と脚部桟とを直交方向に組み合わせると共に、締付けボルトを本体桟から受け台にねじ込んで本体桟と脚部桟とを組立固定するものが提案されている（特開平１１―５９６７５号）。
【０００３】
そのＣ形鋼材組立体は、金属平板等の物品を複数枚積載させて搬送し或いは複数枚積み重ねてストックするスキッド乃至はパレットとして用いられるが、全体を堅牢な組立体として簡単な構造に構成でき、また、使用しないときには容易に分解できて再組立も容易に行えるところから好ましい。然し、脚部桟を分解状態で揃えるに、受け台が邪魔となって扱い難く、脚部桟をコンパクトにまとめ難い不具合がある。
【０００４】
【発明が解決しようとする課題】
本発明は、Ｃ形鋼材を主鋼材とし、二本のＣ型鋼材をコの字部で背合わせに接合した一本の鋼材、一本のＣ形鋼材またはコ形鋼材のいずれかを副鋼材とし、主鋼材，副鋼材相互を堅牢な組立体として容易に組み立てられる鋼材組立用金具を提供することを目的とする。
【０００５】
また、本発明は全体を堅牢な組立体として簡単な構造に構成でき、使用しないときには容易に分解できて各構成部材をコンパクトにまとめられ、再組立も容易に行えるよう構成可能なＣ形鋼材組立体を提供することを目的とする。
【０００６】
【課題を解決するための手段】
本願の請求項１に係る発明は、コの字部と、コの字部の両端縁から各々相対方向の内側に折れ曲がる両側のフランジ部とからなり、両フランジ部の相対間を開放口とするＣ形鋼材を主鋼材とし、二本のＣ型鋼材をコの字部で背合わせに接合した一本の鋼材、一本のＣ形鋼材またはコ形鋼材のいずれかを副鋼材とし、主鋼材の各フランジ部と副鋼材の板面とを当接させて直交方向に組み合される主鋼材，副鋼材相互を交差点で締付け固定するに用いられる鋼材組立用金具であって、
主鋼材の長手方向に亘って主鋼材の各フランジ部と開放口より内側で係合する押え板部と、主鋼材の長手方向に位置する押え板部の各端部より副鋼材の交差する幅を越えて主鋼材の長手方向に伸びる掛止め板部とからなる金具本体を備え、
掛止め板部は、押え板部の各端部より副鋼材側に向けて夫々相対方向のＵ字状に湾曲する各Ｕ字部と、副鋼材側に向かう各Ｕ字部の先端部より各Ｕ字部の内向きに折れ曲って副鋼材の開放口より内側に係合する先端縁とからなり、
金具本体には、前記各Ｕ字部の相対辺間にねじ込んで前記各Ｕ字部の相対間隔を固定保持する締付けボルトを備えてなることを特徴とする。
【０００７】
本願の請求項２に係る発明は、押え板部が立上り板部を両側に有するコの字状でなり、掛止め板部が押え板部の立上り板部を連結する橋絡辺の各端部より副鋼材の交差する幅を越えて主鋼材の長手方向に伸びる金具本体を備えてなることを特徴とする。
【０００８】
本願の請求項３に係る発明は、コの字部と、コの字部の両端縁から各々相対方向の内側に折れ曲がる両側のフランジ部とからなり、両フランジ部の相対間を開放口とするＣ形鋼材を主鋼材とし、二本のＣ型鋼材をコの字部で背合わせに接合した一本の鋼材を副鋼材とし、開放口を同じ方向に向けて所定の間隔を隔て複数本の主鋼材を相平行に並べ、二本背合わせに接合したＣ形鋼材の面一となる片側の側板部を主鋼材の各フランジ部と当接させて複数本の副鋼材を主鋼材の長手方向で所定の間隔を隔て直交方向に組み合わせ、主鋼材，副鋼材相互を鋼材組立用金具により交差点で締付け固定することにより組み立てられるＣ形鋼材組立体であって、
主鋼材の長手方向に亘って主鋼材の各フランジ部と開放口より内側で係合する押え板部と、主鋼材の長手方向に位置する押え板部の各端部より副鋼材の交差する幅を越えて主鋼材の長手方向に伸びる掛止め板部とからなる金具本体を備え、
掛止め板部は、押え板部の各端部より副鋼材側に向けて夫々相対方向のＵ字状に湾曲する各Ｕ字部と、副鋼材側に向かう各Ｕ字部の先端部より各Ｕ字部の内向きに折れ曲って副鋼材の開放口より各フランジ部の内側に係合する先端縁とからなり、
各Ｕ字部の相対辺間にねじ込んで前記各Ｕ字部の相対間隔を固定保持する締付けボルトを金具本体に備える鋼材組立用金具により、主鋼材，副鋼材相互を交差点で締付け固定してなることを特徴とする。
【０００９】
本願の請求項４に係る発明は、複数本の主鋼材を物品の載置面とし、複数本の副鋼材を主鋼材の脚部とし、主鋼材，副鋼材相互を鋼材組立用金具で締付け固定し、複数本の主鋼材，副鋼材からスキッド乃至はパレットを組み立ててなることを特徴とする。
【００１０】
【発明の実施の形態】
以下、添付図面を参照して説明すると、図示実施の形態に係るＣ形鋼材組立体としては、図１で示すように金属平板等の物品を複数枚積載させて搬送し或いは複数枚積み重ねてストックするに用いられるスキッド乃至はパレットが例示されている。このＣ形鋼材組立体（以下、「スキッド」という。）は、複数本の本体桟となる主鋼材１…（以下、「本体桟１」という。）と、複数本の脚部桟となる副鋼材２…（以下、「脚部桟２」という。）と、鋼材から折曲げ形成された複数個の組立金具３…を構成部材として揃えることにより組み立てられている。
【００１１】
本体桟１，脚部桟２は、図２で示すようにコの字部１ａ，２ａと、コの字部１ａ，２ａの両端縁から各々相対方向の内側に折れ曲がるフランジ部１ｂ，１ｃ、２ｂ，２ｃとからなり、フランジ部１ｂ，１ｃ、２ｂ，２ｃの相対間を開放口１ｄ，２ｄとするＣ形鋼材で構成されている。脚部桟２は、図３で示す如く側板部が面一となるよう二本のＣ形鋼材２０，２１をコの字部２ａ，２ａで背合わせに溶接固定した一本の鋼材として構成されている。
【００１２】
組立金具３…は、図３〜図５で示すように本体桟１…の両フランジ部１ａ，１ｂと開放口１ｄより内側で係合する押え板部３０（図５参照）と、本体桟１の長手方向に位置する押え板部３０の各端部より副鋼材２の交差する幅を越えて本体桟１の長手方向に伸びる掛止め板部３１，３２（図３参照）とからなる金具本体を備えている。
【００１３】
掛止め板部３１，３２は、本体桟１…の長手方向に位置する押え板部３０の各端部より脚部桟２に向けて夫々相対方向のＵ字状に湾曲する各Ｕ字部３１ａ，３２ａと、脚部桟２に向かう各Ｕ字部３１ａ，３２ａの先端部より各Ｕ字部３１ａ，３２ａの内向きに折れ曲って脚部桟２…の開放口より内側に係合する先端縁３１ｂ，３２ｂとから形成されている。組立金具３…は、各Ｕ字部３１ａ，３２ａの相対辺間にねじ込んで各Ｕ字部３１ａ，３２ａの相対間隔を固定保持する締付けボルト３３，３４を金具本体に備えて構成されている。
【００１４】
図示実施の形態に係る金具本体は、耐曲り強度を付与する立上り板部３０ａ，３０ｂを両側に有するコの字状の押え板部３０と、押え板部３０の立上り板部３０ａ，３０ｂを連結する橋絡辺３０ｃの各端部より副鋼材２の交差幅を越えて本体桟１の長手方向に伸びる掛止め板部３１，３２とから形成されている。掛止め板部３１，３２は、図３で示すように押え板部３０の橋絡辺３０ｃより同一平面上に伸び、図５で示すように本体桟１…の開放口１ｄと略同幅乃至はやや狭幅なものに形成されている。なお、図４で示す如くワッシャー３５，３６が締付けボルト３３，３４に備え付けられ、締付けボルト３３，３４を螺合するネジ穴３１ｃ，３２ｃがＵ字部３１ａ，３２ａに設けられている。
【００１５】
上述した各構成部材からスキッドを組み立てるには、図１並びに図２で示すように開放口１ｄを下側に向けて所定の間隔を隔て本体桟１を複数本相平行に並べる。また、脚部桟２の面一となる片側の側板部を本体桟１の各フランジ部１ｂ，１ｃと当接させて本体桟１の長手方向で所定の間隔を隔て脚部桟２を本体桟１の下側で直交方向に組み合せる。更に、その組み合わされた本体桟１と脚部桟２とを交差点において組立金具３…で締付け固定すればよい。
【００１６】
組立金具３…は、掛止め板部３１，３２を本体桟１の開放口１ｄより外側に位置すると共に、押え板部３０を本体桟１の内側で所定位置に挿置させて両フランジ部１ａ，１ｂと開放口１ｄより内側で係合することにより、各本体桟１毎の横並び一列に組み付ける。また、脚部桟２の各フランジ部２ｂ，２ｃを掛止め板部３１，３２の先端縁３１ｂ，３２ｂに係合するよう脚部桟２を接合された片側の側板部で組立金具３…に組み付ける。これにより、本体桟１と脚部桟２とは直交方向に組み合せできる。
【００１７】
その本体桟１と脚部桟２との組合せ状態から、締付けボルト３３，３４を各Ｕ字部３１ａ，３２ａの相対辺間にねじ込んで各Ｕ字部３１ａ，３２ａの相対間隔を締付けボルト３３，３４で固定保持させる。これにより、組立金具３…の押え板部３０が本体桟１の各フランジ部１ｂ，１ｃと開放口１ｄより内側で係合する。これと共に、脚部桟２が開放口２ｄ，２ｄより各フランジ部２ｂ，２ｂの内側に係合する掛止め板部３１，３２の先端縁３１ｂ，３２ｂで引掛け止めされるため、本体桟１と脚部桟２とを直交方向に組立固定できる。
【００１８】
そのＣ形鋼材組立体は、所定の間隔を隔て複数本相平行に並べた本体桟１を物品の載置面とし、本体桟１の長手方向で所定の間隔を隔て直交方向に組み合された脚部桟２を本体桟１の脚部に構成するスキッドとして組み立てられている。このＣ形鋼材組立体を分解するときは、上述したとは逆に、締付けボルト３３，３４を弛めて組立金具３…を本体桟１，脚部桟２から外すだけよい。分解後は、各構成部材を夫々個々にまとめて収納できるが、本体桟１，脚部桟２には突起物等の邪魔なものがないからコンパクトにまとめられる。
【００１９】
上述した実施に形態は、スキッドを具体例にＣ形鋼材組立体を説明したが、その他に、組立金具３…は工事現場の仮設壁や足場等のＣ形鋼材を主鋼材に組み立てられる鋼材組立用として適用できる。この場合に、副鋼材２としては一本のＣ形鋼材またはコ形鋼材単位で用い、コの字部の橋絡板部を主鋼材１のフランジ部１ｂ，１ｃと相対させて主鋼材１と組立金具３…で直交方向に組立固定することによりＣ形鋼材組立体として構成できる。
【００２０】
上述した組立金具３…の構成中、掛止め板部３１，３２は押え板部３０の橋絡辺３０ｃより同一平面上に伸びて本体桟１の開放口１ｄと略同幅乃至はやや狭幅なものとして説明したが、本体桟１のフランジ部１ｂ，１ｃを受け入れる切欠を押え板部３０と掛止め板部３１，３２との境界部に設けると共に、その境界部をフランジ部１ｂ，１ｃの厚み分だけ段下げ曲げすることにより本体桟１の開放口１ｄよりも幅広な掛止め板部３１，３２として設けることもできる。
【００２１】
【発明の効果】
以上の如く、本願の請求項１に係る鋼材組立用金具に依れば、主鋼材の開放口より内側で主鋼材の各フランジ部と係合する押え板部と、副鋼材側に向かう各Ｕ字部の先端部より各Ｕ字部の内向きに折れ曲がる先端縁を副鋼材の開放口より各フランジ部の内側に係合する掛止め板部とからなる金具本体を備えると共に、各Ｕ字部の相対辺間にねじ込んで各Ｕ字部の相対間隔を固定保持する締付けボルトを備えることから、主鋼材の両フランジ部を副鋼材の板面に当接させて直交方向に組み合される主鋼材，副鋼材相互を容易に且つ確実に組立固定できて分解も容易に行える。
【００２２】
本願の請求項２に係るＣ形鋼材組立金具に依れば、押え板部が立上り板部を両側に有するコの字状でなり、掛止め板部が押え板部の立上り板部を連結する橋絡辺の各端部より副鋼材の交差幅を越えて主鋼材の長手方向に伸びる金具本体を備えることから、主鋼材の開放口より内側で主鋼材の各フランジ部と係合する押え板部を含む金具全体を耐曲げ強度の強いものに構成できる。
【００２３】
本願の請求項３に係るＣ形鋼材組立体に依れば、主鋼材の開放口より内側で主鋼材の各フランジ部と係合する押え板部と、副鋼材側に向かう各Ｕ字部の先端部より各Ｕ字部の内向きに折れ曲がる先端縁を副鋼材の開放口より各フランジ部の内側に係合する掛止め板部とからなる金具本体を備えると共に、各Ｕ字部の相対辺間にねじ込んで各Ｕ字部の相対間隔を固定保持する締付けボルトを金具本体に備える鋼材組立用金具により、主鋼材の両フランジ部を副鋼材の板面に当接させて直交方向に組み合される主鋼材，副鋼材相互を交差点で締付け固定することから、全体を堅牢な組立体として簡単な構造に構成でき、また、使用しないときには容易に分解できて各構成部材をコンパクトにまとめられ、再組立も容易に行えるよう構成できる。
【００２４】
本願の請求項４に係るＣ形鋼材組立体に依れば、複数本の主鋼材を物品の載置面とし、複数本の副鋼材を主鋼材の脚部とし、主鋼材，副鋼材相互を鋼材組立用金具で締付け固定することにより、金属平板等の物品を複数枚積載させて搬送し或いは複数枚積み重ねてストックするに用いられるスキッド乃至はパレットとして堅牢で簡単な構造に構成でき、また、使用しないときには容易に分解できて各構成部材をコンパクトにまとめられ、再組立も容易に行えるよう構成できる。
【図面の簡単な説明】
【図１】  本発明に係るＣ形鋼材組立体の一例として物品積載用スキッドを積載面側から示す斜視図である。
【図２】  図１の物品積載用スキッドを脚部側から示す斜視図である。
【図３】  図１の物品積載用スキッドの組立構造を副鋼材の横断面で示す説明図である。
【図４】  図１の物品積載用スキッドを組み立てるのに用いられる組立金具を各部毎に示す展開斜視図である。
【図５】  図１の物品積載用スキッドの組立構造を示す部分側面図である。
【符号の説明】
１…            主鋼材
１ａ            主鋼材のコの字部
１ｂ，１ｃ      主鋼材のフランジ部
１ｄ            主鋼材の開放口
２…            副鋼材
２ａ            副鋼材のコの字部
２ｂ，２ｃ      副鋼材のフランジ部
２ｄ            副鋼材の開放口
３…            組立金具
３０            押え板部
３１，３２      掛止め板部
３１ａ，３２ａ  掛止め板部のＵ字部
３１ｂ，３２ｂ  掛止め板部の先端縁
３３，３４      締付けボルト
【図１】
0004538700.tif 000002
【図２】
0004538700.tif 000003
【図３】
0004538700.tif 000004
【図４】
0004538700.tif 000005
【図５】
0004538700.tif 000006